(57)【要約】【課題】取外し、装着の方法が簡単なスーツケースに使用されるキャスターを提供すること。【解決手段】使用者は下半部素子を固定後、上半部素子中の階段状ハウジングを外側に動かすだけで、ボール部上のボールと階段状をハウジングが分かれ、キャスターは分離でき、取外しの目的は達成され、使用者は自分で摩耗損傷した素子を交換できる。新しい素子を装着する時、同様に下半部を固定した後、上半部素子中の階段状ハウジングを外側に動かすだけで、ボール部上のボールと階段状ハウジングが再度結合し、よって再装着の目的が達成される。また、新しい素子（新しい下半部素子）とキャスターの上半部を再度組合せることも容易にでき、新品同様のキャスターを手にすることができる。【選択図】図２
0003150540.tif 000002
【実用新案登録請求の範囲】
【請求項１】
収納部を備えるキャスターフレームであり、前記キャスターフレーム中にブロック部を設け、前記キャスターフレームと前記ブロック部の間に第一接合部を形成するキャスターフレームと、
少なくとも１つの輪体であり、前記輪体は前記収納部と相互接続し、前記輪体と前記キャスターフレームは結合後に前記輪体が力を受けた時、前記輪体は前記キャスターフレームに対応し自由に回転する輪体と、
ボールベアリングとスリーブを貫通するリベットと、
中空部を有し、前記中空部と前記スリーブ、前記ボールベアリングは滑動方式によって接続する円形回転ブロックと、
ボール部であり、前記円形回転ブロックのリング型の表面上に設けられ、前記ボール部上には複数のボールを有するボール部と、
階段状ハウジングであり、前記円形回転ブロックを覆い包み、前記ボールは前記階段状ハウジンの内表面を転がって接触し、前記階段状ハウジングは前記第一接合部にて自由に移動できる階段状ハウジングと、
上表面に第三接続部及び回転中心孔を設け、前記第三接続部はスーツケースとの接続に使用される蓋体と、
リング型ワッシャであり、その内円直径の中心と前記回転中心孔の位置を合わせ、前記リベットと前記スリーブ、前記ボールベアリングを結合した後、前記リベットを利用して前記中空部、前記回転中心孔及び前記リング型ワッシャの内円直径を貫通し、前記リング型ワッシャを利用して前記リベットと前記蓋体を結合するリング型ワッシャと、を含むことを特徴とする、
スーツケースに使用されるキャスター。
【請求項２】
前記円形回転ブロックの周縁に位置する位置決め溝と、前記蓋体と前記階段状ハウジングの間に位置する締め付けプレートを含み、前記階段状ハウジングはスプリングを含み、前記締め付けプレートを利用して前記スプリングを前記階段状ハウジングと前記締め付けプレートの間に固定することを特徴とする、請求項１に記載のスーツケースに使用されるキャスター。
【請求項３】
前記締め付けプレート及び前記円形回転ブロックの上表面には相互対応する複数のネジ穴を有し、ネジ固定素子を利用して前記締め付けプレート及び前記円形回転ブロックをロックすることを特徴とする、請求項２に記載のスーツケースに使用されるキャスター。
【請求項４】
前記ネジ固定素子がボルト或いはネジであることを特徴とする、請求項１に記載のスーツケースに使用されるキャスター。
【考案の詳細な説明】
【技術分野】
【０００１】
本考案はスーツケースに使用されるキャスターに関し、特に素早く取外し、装着ができるキャスターに関する。
【背景技術】
【０００２】
現在、殆どのスーツケース、キャリーケースの底部にはキャスターフレームが設けられており、スーツケースを軽い力で引くことができ、旅行に持ち歩くのに便利である。スーツケースは長期間使用されると、キャスターの輪体が長い間地面と摩擦されることによって摩耗し、輪体の損傷を引き起こし、使用者がスーツケースを引く時、不便になる。
従来のキャスターはスーツケース本体に直接接続されているため、使用者が摩耗損傷のため輪体を取換えたい時は、専門の修理業者に依頼したり、或いはアフターケアサービスを提供しているスーツケース販売店に行き交換したりする必要があり、輪体交換時には並ぶ必要あったり、交換に時間がかかったりして、使用者は修理業者或いは店に依頼し一定時間後に使用を再開することになる。使用者にとってみれば、輪体交換は時間がかかり面倒である。
【０００３】
本考案は上記の欠点を改善するために成されたもので、上記の欠点を改善できるスーツケースに使用されるキャスターを提供するものである。
【考案の概要】
【考案が解決しようとする課題】
【０００４】
本考案の主な目的は、使用者が自分で摩耗損傷した素子をを交換できるよう、取外し、装着の方法が簡単で、素早く使用再開できる、スーツケースに使用されるキャスターを提供する。
【課題を解決するための手段】
【０００５】
本考案は、スーツケースに使用されるキャスターを提供し、キャスターフレームを含み、キャスターフレームは収納部を含み、キャスターフレーム中にはブロック部が設けられ、キャスターフレームとブロック部の間には第一接合部が形成され、少なくとも１つの輪体が前記収納部と相互接続し、前記輪体と前記キャスターフレームは結合後に前記輪体が力を受けた時、前記輪体は前記キャスターフレームに対応し自由に回転する。リベットはボールベアリングとスリーブを貫通する。円形回転ブロックは中空部を有し、中空部とスリーブ、ボールベアリングは滑動方式によって接続し、前記円形回転ブロックのリング形の表面上には、ボール部を有し、ボール部上には複数のボールを有し、ボールは階段状ハウジングの内表面を転がって接触し、前記階段状ハウジングは前記第一接合部にて自由に移動できる。蓋体の上表面に第三接続部及び回転中心孔が設けられ、前記第三接続部はスーツケースとの接続に使用される。リベットとスリーブ、ボールベアリングが結合した後、リベットを用いて前記中空部、回転中心孔及びリング型ワッシャの内円直径を貫通し、リング型ワッシャを利用してリベットと蓋体を結合する。
【考案の効果】
【０００６】
本考案は上述した構造を有するので、使用者は下半部素子を固定し、上半部素子中の階段状ハウジングを外に向かって動かすだけで、ボール部のボールと階段状ハウジングが分かれ、キャスターを分離できて取外しでき、使用者は自分で摩耗損傷した素子を交換することができる。新しい素子を装着する時は、同様に下半部を固定した後、上半部素子中の階段状ハウジングを外に向かって動かすだけで、ボール部上のボールと階段状ハウジングが再度結合し、よって再装着の目的を達成することができる。また、新しい素子（新しい下半部素子）とキャスターの上半部を再度組合せることも容易にでき、新品同様のキャスターを手にすることができる。このように、使用者は摩耗損傷した素子を自分で交換することができて、時間をかけずにスーツケースの使用再開が可能になる。
【図面の簡単な説明】
【０００７】
【図１】本考案の実施例に係るキャスターの立体構造図。
【図２】本考案の実施例に係るキャスターの構造分解図。
【図３】本考案の実施例に係るキャスターの断面概念図。
【図４】本考案の実施例に係るキャスターの取外し、装着時の概念図。
【図５】本考案のもう１つの実施例に係るキャスターの構造分解図。
【考案を実施するための形態】
【０００８】
以下に図面を参照しながら、具体的な実施例を挙げて詳しく説明する。
【実施例】
【０００９】
本考案は少なくとも１つの輪体のキャスターである。本考案の構造を詳細に説明するため、本実施例は双輪体のキャスター例に挙げ説明する。
図１、図２、図３を参照すると、本考案のスーツケースに使用されるキャスター１０は、キャスターフレーム１２を含み、キャスターフレーム１２は収納部１４を有し、キャスターフレーム１２中にはブロック部１６を設け、キャスターフレーム１２とブロック部１６は一体成型を成し、キャスターフレーム１２とブロック部１６の間には第一接合部１８を形成する。
【００１０】
２つの輪体の各輪体２０は収納部１４と相互接続し、２つの輪体とキャスターフレーム１２は結合後、２つの輪体が力を受けた時、２つの輪体はキャスターフレーム１２に対応して自由回転する。言い換えると、２つの輪体が地面に水平に接触する時、２つの輪体は力を受け、２つ輪体は水平に地面に沿って回転し、キャスターフレーム１２はこれによって（２つの輪体は共に）水平移動の効果を生み出す。
【００１１】
リベット２４はスリーブ２８及びボールベアリング３０を貫通する。円形回転ブロック３６は中空部３８を有し、中空部３８とスリーブ２８、ボールベアリング３０の周縁は滑動方式により接続し、円形回転ブロック３６の周縁には位置決め溝４０を設ける。
【００１２】
ボール部４２は円形回転ブロック３６の円形外表面上に設けられ、且つ位置決め溝４０の下方に位置する。ボール部４２上には複数のボール４４を有し、ボール部４２の設計方法は限定されない。本実施例のボール部４２は４つのボール溝で構成されており、各ボール溝は一個のボール４４を配置することができる。その他の実施例中、ボール部は１つのボール溝を設計することも可能で、ボール溝にはボール４４で全て埋められる。上述の方式は、ボール部のより良い実施例に過ぎない。
【００１３】
階段状ハウジング５８は第一接合部１８において自由に移動できる。階段状ハウジング５８は円形回転ブロック３６を覆い包み、階段状ハウジング５８が覆い包んだ後ボール４４は階段状ハウジング５８の内表面と転がって接触することができ、階段状ハウジング５８の内表面はスプリング６２を有し、スプリング６２の一端は位置決め溝４０中に固定し、蓋体４６と階段状ハウジング５８の間に位置する締め付けプレート５６を利用してスプリング６２を階段状ハウジング５８と締め付けプレート５６の間に固定する。その中の締め付けプレート５６及び円形回転ブロック３６の上表面には相互対応する複数のネジ穴５４を設け、ネジ固定素子６４を利用して締め付けプレート５６及び円形回転ブロック３６をロックする。本実施例のネジ固定素子６４はボルト或いはネジである。
【００１４】
蓋体４６の上表面に第三接続部４８及び回転中心孔５０を設け、第三接続部４８はスーツケースに接続するために使用される。
【００１５】
リング型ワッシャ５２は蓋体４６上に位置し、リング型ワッシャ５２の円心は回転中心孔５０の円心と合わさる。
【００１６】
リベット２４とスリーブ２８、ボールベアリング３０の結合後、リベット２４は中空部３８、回転中心孔５０、リング型ワッシャの内円直径を貫通し、リング型ワッシャ５２を利用してリベット２４と蓋体４６を結合する。
【００１７】
スーツケースを長期的に使用すると、スーツケースのキャスターの輪体は長時間の地面との摩擦により摩耗する。本考案が提供するのはスーツケースに使用されるキャスターで、取外し、装着方法が簡単なキャスターであり、上述に紹介した構造によると、使用者は図４中の下半部素子６８を固定し、上半部素子６６中の階段状ハウジングを外に向かって動かすだけで、ボール部４２上のボール４４と階段状ハウジング５８が分かれ、キャスターを分離することができ、取外しの目的は達成され、使用者は自分で摩耗損傷した素子を交換できる。同様に新しい素子を装着する時、同様に下半部素子６８を固定した後、上半部素子６６中の階段状ハウジング５８を外に向かって動かすだけで、ボール部４２上のボール４４と階段状ハウジング５８が再度結合し、よって再装着の目的が達成される。また、新しい素子（新しい下半部素子）とキャスターの上半部を再度組合せることも容易にでき、新品同様のキャスターを手にすることができる。このように、使用者は摩耗損傷した素子を自分で交換することができ、時間をかけずにスーツケースの使用再開が可能になる。
【００１８】
本考案のもう１つの実施例は図５を参照すると、本実施例と前述の実施例の異なる点はキャスターフレーム１２の設計にあり、本実施例のキャスターフレーム１２は同様に収納部１４及びブロック部１６を有すが、収納部１４は前述実施例と異なり、本実施例の収納部１４は１つの輪体２０しか収納できない。その他の部分は前述の実施例と同様であるので、ここでは述べない。
【００１９】
以上の記載は、本考案の実施例の説明であって、本考案はこれらの実施例に限定されるものではなく、当業者が適宜行う等価の変更や修正も本考案に含まれるものである。
【符号の説明】
【００２０】
１０  回転キャスター  
１２  キャスターフレーム  
１４  収納部  
１６  ブロック部  
１８  第一接合部  
２０  輪体  
２４  リベット  
２８  スリーブ  
３０  ボールベアリング  
３６  円形回転ブロック  
３８  中空部  
４０  位置決め溝  
４２  ボール部  
４４  ボール
４６  蓋体
４８  第三接続部
５０  回転中心孔
５２  リング型ワッシャ
５４  ネジ穴
５６  締め付けプレート
５８  階段状ハウジング
６２  スプリング
６４  ネジ固定素子
６６  上半部素子  
６８  下半部素子
【図１】
0003150540.tif 000003
【図２】
0003150540.tif 000004
【図３】
0003150540.tif 000005
【図４】
0003150540.tif 000006
【図５】
0003150540.tif 000007